(57)【要約】【課題】  経時によって機器の属性データが判読不能となることを防ぎ、さらに受信側に当該属性データを正確に読み取らせることができるＩＣタグ装置を提供する。【解決手段】  ＩＣタグ装着装置１０は、属性データを格納するとともに受信側に送信するＩＣチップ及びアンテナ部からなるインレット部１１と、このインレット部１１を保護すると共に機器１に貼付されるための粘着シート１２ａと、インレット部１１の上に設けられ、粘着シート１２ａとの間にインレット部１１を挟み込む粘着シート１２ｂとを備える。特に、ＩＣタグ装置１０は、二枚の粘着シート１２ａ、１２ｂでインレット部１１とを挟み込んでいる。【選択図】  図２
2008257336.tif 000002
【特許請求の範囲】
【請求項１】
貼付される機器の属性データを格納し、かつ受信側に送信するＩＣタグ装置において、
前記属性データを格納するとともに受信側に送信するＩＣチップ及びアンテナ部からなるインレット部と、
前記インレット部を保護すると共に前記機器に貼付されるための粘着シートと
を備えることを特徴とするＩＣタグ装置。
【請求項２】
前記インレット部のＩＣチップは、前記機器の製造メーカ名、製造年月日、機番、製造場所、認定機関名、認定番号、貼付年月日の少なくとも一つを含む前記機器の追跡データを属性データとして格納していることを特徴とする請求項１記載のＩＣタグ装置。
【発明の詳細な説明】
【技術分野】
【０００１】
本発明はＩＣタグ装置に関し、特に各種機器に貼付して、当該機器の属性に関するデータを格納し、かつ受信機器に送信可能なＩＣタグ装置に関する。
【背景技術】
【０００２】
ＩＣカードを小型化し、タグ状に形成したものは、「ＩＣタグ」と呼ばれ、チップの小型化と低コスト化により、様々な分野における製造・流通・販売等の一括管理によるサプライチェーン・マネジメント（ＳＣＭ）支援や、販売データを活用したカスタマー・リレーションシップ・マネジメント（ＣＲＭ）支援にも活用されている。例えば、医療用のＩＣタグは下記特許文献１に開示されている。
【０００３】
一方、火災警報器本体はもちろん警報機器や、ガス湯沸かし器等の機器は、製造メーカや製造年月日、認定の有無、などの当該機器に関する属性が記載されたラベルを貼付している。
【特許文献１】特開２００３−０６３６５４号公報
【発明の開示】
【発明が解決しようとする課題】
【０００４】
ところで、前記機器に貼付されたラベルには、表面に各種属性データが文字として記載されているが、経時によって文字が薄くなってしまったり、あるいは汚れが付着し、判読不能となったりするおそれがあった。また、属性データを取得するには、ラベルごとに目視によって行う必要があった。
【０００５】
本発明は、前記実情に鑑みてなされたものであり、経時や汚れによって機器の属性データが判読不能となることを防ぎ、さらに受信側に当該属性データを正確に読み取らせることができるＩＣタグ装置の提供を目的とする。
【課題を解決するための手段】
【０００６】
本発明に係るＩＣタグ装置は、前記課題を解決するために、機器の属性データを格納し、かつ受信側に送信するＩＣタグ装置において、前記属性データを格納するとともに受信側に送信するＩＣチップ及びアンテナ部からなるインレット部と、前記インレット部を保護すると共に前記機器に固定して保持するための粘着シートとを備える。
【０００７】
特に、前記インレット部のＩＣチップは、前記機器の製造メーカ名、製造年月日、機番、製造場所、認定機関名、認定番号、貼付年月日の少なくとも一つを含む前記機器の追跡データを属性データとして格納している。
【発明の効果】
【０００８】
本発明に係るＩＣタグ装置によれば、経時によって機器の属性データが判読不能となることを防ぎ、さらに受信側に当該属性データを正確に読み取らせることができる。
【発明を実施するための最良の形態】
【０００９】
以下、本発明を実施するための最良の形態について図面を参照しながら説明する。この実施の形態は、例えば報知器、操作盤などの機器に貼付することのできるＩＣタグ装置である。
【００１０】
図１は報知器、操作盤などの機器１の操作部２の右下部に貼付されたＩＣタグ装置１０を示す。このＩＣタグ装置１０は、貼付される機器１の属性データを格納し、かつ属性データを受信器２０からのリクエスト（送信要求）に応じて受信器２０に送信する。ＩＣタグ装置１０の表面には、認証番号などの属性データの一部が印刷などにより表示されている。
【００１１】
ここで、属性データは、前記機器１の製造メーカ名、製造年月日、機番、製造場所、認定機関名、認定番号、貼付年月日である。例えば、ガス警報機や、火災警報機、ガス湯沸し機などは、安全性や信用性を保証するための認定機関から認定されることで安全であること等を証明している。前記属性データはこのような認定のためのデータを格納している。
【００１２】
図２はＩＣタグ装置１０を示す図である。図２（ａ）の上面図を示すように、ＩＣタグ装置１０は、離型紙１４とこの離型紙１４上に剥離可能に設けられたＩＣタグ本体１５から構成される。ＩＣタグ本体１５の表面をなす表皮１３には、認定期間から与えられた認定番号１６が表示されている。
【００１３】
図２（ｂ）の拡大断面図は、前記上面図に示したＩＣタグ装置１０を図中ＡＡ方向に切断した断面を拡大したものである。ＩＣタグ１０は、属性データを格納するとともに受信側に送信するＩＣチップ１７及びアンテナ１８を含むインレット部１１と、このインレット部１１を保護すると共に機器１に貼付されるための粘着シート１２ａと、インレット部１１の上に設けられ、粘着シート１２ａとの間にインレット部１１を挟み込む粘着シート１２ｂとを備える。特に、ＩＣタグ装置１０は、二枚の粘着シート１２ａ、１２ｂでインレット部１１とを挟み込んでいる。
【００１４】
このように、ＩＣチップとＩＣチップに接続したアンテナからなるインレット部１１は、二枚の粘着シート１２ａ、１２ｂ間に挟み込まれているので、機器１の操作部２に貼付されると共に保護される。粘着シート１２ａ及び１２ｂは、ある程度の厚みを備え、さらにクッション性を備えるので、インレット部１１を衝撃などから守ることができる。
【００１５】
また、粘着シート１２ｂ上には、大気中の水分や、周辺の水分からインレット部１１を守るため、あるいは酸化防止のための表皮１３を設ける。表皮１３にもクッション性を持たせてもよい。これらインレット部１１、粘着シート１２ａ、１２ｂ及び表皮１３は、ＩＣタグ本体１５を構成している。
【００１６】
粘着シート１２ａの機器への接着側には、ＩＣタグ本体１５と剥離可能な離型紙１４が設けられている。
【００１７】
インレット部１１は、前述のように、機器の製造メーカ名、製造年月日、機番、製造場所、認定機関名、認定番号、貼付年月日のような前記機器の追跡データを属性データとしてＩＣチップに格納している。このため、ＩＣタグ装置１０は、経時によって属性データが判読不能となることを防ぎ、さらに受信機２０側にアンテナを介して当該属性データを正確に読み取らせることができる。
【００１８】
この属性データに関連して、表皮１３に文字等を表示することができる。例えば、表皮１３に認定番号１６を表示することにより、そのＩＣタグ装置１０を貼付した機器１が認定を受けたものであることを示すことができる。このように、目的に応じて、表皮１３には前記属性データの一部または全部として表示することができる。
【００１９】
なお、上述の本実施の形態ではＩＣタグ装置１０を報知器、操作盤などの機器１の操作部２に貼付する例を示したが、本発明はこの例に限定されない。ＩＣタグ装置１０は小型の対象物に貼付するために例えば数ミリ程度の大きさとすることもできる。
【図面の簡単な説明】
【００２０】
【図１】機器の操作部の右下部に貼付されたＩＣタグ装置を示す図である。
【図２】ＩＣタグ装置を示す図である。
【符号の説明】
【００２１】
１  機器
２  操作部
１０  ＩＣタグ装置
１１  インレット部
１２  粘着シート
１３  表皮
１４  離型
１５  ＩＣタグ本体
１６  認定番号
１７  ＩＣチップ
１８  アンテナ
【図１】
2008257336.tif 000003
【図２】
2008257336.tif 000004